(57)【特許請求の範囲】
【請求項１】
紫外線量を測定し紫外線量についての測定データを生成する紫外線センサと、ユーザの肌の日焼けに対する特性についての特性データを手入力により受け付ける第１入力手段と、前記測定データ、及び前記特性データに基づいてユーザの肌の日焼けの状態を予測すると共に、ユーザの肌の日焼けの状態の予測についての画像を表示させるための画像データを、前記予測に基づいて生成する制御手段と、前記画像データに基づいてユーザの肌の日焼けの状態の予測についての画像を表示する表示手段と、前記紫外線センサ、前記制御手段、前記表示手段及び前記第１入力手段が取付けられている、手持ち可能な筐体と、を備えてなる、携帯装置。
【請求項２】
前記制御手段は、紫外線により人の肌に生じる日焼けの度合いについてのデータであり、紫外線量、及び人の肌の特性と関連付けられている予測データを記録している記録手段と、前記測定データ、及び前記特性データを受け付けると共に、当該測定データが示す紫外線量、及び前記特性データが示す肌の特性と関連付けられている予測データを抽出する抽出手段と、該抽出手段が抽出した予測データに基づいて、前記画像データを生成する画像データ生成手段と、を備えてなる、請求項１記載の携帯装置。
【請求項３】
前記制御手段は、測定の開始後から順次受け付けた測定データに基づいて、測定開始後の紫外線量の累積値である累積紫外線量についての累積データを算出するようになっており、この累積データ、及び前記特性データに基づいてユーザの肌の日焼けの状態を予測するようになっている、請求項１記載の携帯装置。
【請求項４】
前記制御手段は、紫外線により人の肌に生じる日焼けの度合いについてのデータであり、紫外線量の累積値である累積紫外線量、及び人の肌の特性と関連付けられている予測データを記録している記録手段と、前記累積データ、及び前記特性データを受け付けると共に、当該累積データが示す累積紫外線量、及び前記特性データが示す肌の特性と関連付けられている予測データを抽出する抽出手段と、該抽出手段が抽出した予測データに基づいて、前記画像データを生成する画像データ生成手段と、を備えてなる、請求項３記載の携帯装置。
【請求項５】
ユーザが日焼け促進と、日焼け防止のいずれを望むかということに関するユーザの日焼け希望についての希望データを受け付けるための第２入力手段を備えていると共に、前記制御手段は、前記測定データ、及び前記特性データに基づいて、ユーザの肌の日焼けの状態を予測すると共に、この予測及び前記希望データに基づいて、ユーザの日焼け希望を反映するものであり、且つユーザの肌の日焼けの状態の予測についてのものである画像を前記表示手段に表示させるための画像データを生成するようになっている、請求項１記載の携帯装置。
【請求項６】
ユーザが日焼け促進と、日焼け防止のいずれを望むかということに関するユーザの日焼け希望についての希望データを受け付けるための第２入力手段を備えていると共に、前記制御手段は、前記累積データ、及び前記特性データに基づいて、ユーザの肌の日焼けの状態を予測すると共に、この予測及び前記希望データに基づいて、ユーザの日焼け希望を反映するものであり、且つユーザの肌の日焼けの状態の予測についてのものである画像を前記表示手段に表示させるための画像データを生成するようになっている、請求項３記載の携帯装置。
【請求項７】
ユーザが使用する日焼け防止のための手段についての日焼け防止データを受け付ける第３入力手段を備えていると共に、前記制御手段は、前記測定データ、前記特性データ、及び前記日焼け防止データに基づいて、ユーザの肌の日焼けの状態を予測すると共に、この予測及び前記希望データに基づいて、前記画像データを生成するようになっている、請求項５記載の携帯装置。
【請求項８】
ユーザが使用する日焼け防止のための手段についての日焼け防止データを受け付ける第３入力手段を備えていると共に、前記制御手段は、前記累積データ、前記特性データ、及び前記日焼け防止データに基づいて、ユーザの肌の日焼けの状態を予測すると共に、この予測及び前記希望データに基づいて、前記画像データを生成するようになっている、請求項６記載の携帯装置。
【請求項９】
ユーザの肌の日焼けに対する特性についての特性データを手入力により受け付ける第１入力手段と、該第１入力手段から前記特性データを受け付けると共に、紫外線量を測定し紫外線量についての測定データを生成する所定の紫外線センサから前記測定データを受け付け、受け付けた前記測定データ、及び前記特性データに基づいてユーザの肌の日焼けの状態を予測すると共に、ユーザの肌の日焼けの状態の予測についての画像を表示させるための画像データを前記予測に基づいて生成する制御手段と、前記画像データに基づいてユーザの肌の日焼けの状態の予測についての画像を表示する表示手段と、前記紫外線センサ、前記制御手段、前記表示手段、及び前記第１入力手段が取付けられている、手持ち可能な筐体と、を備えてなる、携帯装置。
【請求項１０】
紫外線量を測定して紫外線量についての測定データを生成する所定の紫外線センサから前記測定データを受け付ける制御手段と、ユーザの肌の日焼けに対する特性についての特性データを手入力により受け付ける第１入力手段と、制御手段の制御下で所定の画像を表示する表示手段と、前記制御手段、前記表示手段、及び第１入力手段が取付けられている、手持ち可能な筐体と、を備えてなる携帯装置の前記制御手段にて実行される方法であって、
前記制御手段が、
前記測定データを受け付ける過程、
前記特性データを受け付ける過程、
受け付けた前記測定データ及び前記特性データに基づいてユーザの肌の状態を予測する過程、
前記予測に基づく画像を前記表示手段に表示させるための画像データを生成する過程、
を含む方法。
【発明の詳細な説明】
【０００１】
【発明の属する技術分野】
本発明は、例えば、携帯可能なゲーム装置として実現される、コンピュータを用いた携帯装置に関する。
【０００２】
【発明の背景】
手持ち可能な程度に小型化された携帯装置は、種々存在する。それこそ枚挙に暇がない。
ところで、従来からの健康ブームに乗って、健康をキーワードにした様々な携帯装置が開発されている。例えば、体脂肪率の測定装置や、肌の水分を測定する装置などである。健康をキーワードにしたこのような携帯装置は、それぞれ一定の市場を形成するに至っている。
これら携帯装置は、ユーザの身体についての何らかの物理量を直接的に測定するセンサを必要とする。ここで、ユーザの身体についての測定は、個体差や、条件の相違などによる誤差が生じやすい。従って、そのセンサには、ある程度の性能が要求されることになる。そのため、かかる携帯装置をある程度実用的なものにしようとすると、コスト的な問題が生じることが多い。センサの質を落とすことで、コストの問題を解決することはできるものの、測定する物理量が不正確になり、実用に耐えられないものとなってしまいがちである。
【０００３】
他方、携帯装置としてのゲーム装置が、市場に大量に出回っている。近年主流のゲーム装置は、ゲームを実行するためのプログラムが記録された交換可能な記録媒体をゲーム装置本体と組み合わせることで構成されるものであり、一のゲーム装置で様々なゲームを実行できるようなものとされている。一のゲーム装置本体で様々なゲームを実現可能とするには、ゲーム装置本体が様々なゲームに対応できる最大公約数的なものである必要がある。従って、現在存在するゲーム装置はいずれも、手入力を受け付ける入力手段、入力手段の操作と、記録媒体から読み込んだプログラムの実行結果とに基づいて所定の制御を行う制御手段、この制御手段の制御下で所定のゲーム画像を表示する表示手段を備える、という通り一遍の構成を採用している。
携帯可能なゲーム装置は、市場的には大きな成功を収めているが、新しい趣向を提供できなければユーザに飽きられてしまう。
【０００４】
本願発明者は、上述の２つの携帯装置、即ち、健康をキーワードとした携帯装置と、携帯可能なゲーム装置とについて研究を重ね、その中間的な性格を持つ携帯装置を提供できれば、従来にはない魅力的な携帯装置を実現できるとの知見を得た。このような携帯装置は、高い遊興性ゆえに飽きられにくく、且つ実用面でも優れたものとなりうる。
本願発明者は、また、ユーザの身体についての直接的な測定を行わずとも、ユーザの身体に影響を与えうる要因についての物理量を測定することによりユーザの身体の状態を予測するような構成を採用することで、センサによる測定誤差に関する上述の如き問題も解決できるとの知見を得るに至った。このような構成を採用するのであれば、高価なセンサや特殊な測定を行わなくとも、一定の範囲で実用的な携帯装置を得られるようになる。
更に、健康をキーワードとするのであれば、最近では女性のみならず男性にとっても大きな関心ごとになりつつある、肌の状態についての情報をユーザに提供できるものが良いという知見を得るに至った。
【０００５】
以下に説明する本発明は、本願発明者が得た上述の知見に基づく、従来にはない携帯装置に関するものである。
【０００６】
【発明の開示】
本願発明者が提案するのは、以下のような携帯装置である。本発明の携帯装置は、２つに大別される。
第１の発明は、以下のものである。
本発明による携帯装置は、ユーザの肌の状態に影響を与える要因についての物理量を測定して測定データを生成する測定手段と、前記測定データに基づいてユーザの肌の状態を予測すると共に、その予測に基づく画像を表示させるための画像データを生成する制御手段と、前記画像データに基づいて画像を表示する表示手段と、前記測定手段、前記制御手段、及び前記表示手段が取付けられている、手持ち可能な筐体と、を備えてなる。
この携帯装置は、ユーザの肌の状態を予測して、その予測に基づく画像を表示画面に表示するものである。従って、この携帯装置は、ユーザに自分の肌の状態についての情報を与えられる、実用的なものとなる。この携帯装置は、ユーザの肌の状態に影響を与える要因についての物理量を測定して測定データを生成するようになっている、従来のゲーム装置が備えるものとは異なる測定手段を備えている。従って、この携帯装置を携帯ゲーム装置として捉えた場合、この携帯装置は、従来のゲーム装置とは異なる興趣をユーザに提供できるものであるといえる。この携帯装置は、また、ユーザの身体に影響を与えうる要因についての物理量を測定することによりユーザの肌の状態を予測するようになっている。つまり、この携帯装置は、ユーザの身体の直接的な測定を行うわけではないので、高性能なセンサを必要としない。これにより、コストの問題発生を抑制しながらも、実用性を確保できるものとなる。
ユーザの肌の状態に影響を与える要因についての物理量を測定して測定データを生成する所定の測定手段から前記測定データを受け付ける制御手段と、制御手段の制御下で所定の画像を表示する表示手段と、前記制御手段、及び前記表示手段が取付けられている、手持ち可能な筐体と、を備えてなる携帯装置の前記制御手段にて実行される方法であって、前記制御手段が、前記測定データを受け付ける過程、受け付けた前記測定データに基づいてユーザの肌の状態を予測する過程、前記予測に基づく画像を前記表示手段に表示させるための画像データを生成する過程、とを含む方法でも、同様の効果を得られる。
【０００７】
制御手段は、測定データに基づいてユーザの肌の状態を予測すると共に、その予測に基づく画像を表示させるための画像データを生成するものであれば、どのような構成を採用することも可能である。
例えば、制御手段は、前記要因が人の肌の状態与える影響についてのデータであり、当該要因の物理量と関連付けられている予測データを記録している記録手段と、前記測定データを受け付けると共に、当該測定データが示す前記要因についての物理量と関連付けられている予測データを抽出する抽出手段と、該抽出手段が抽出した予測データに基づいて、前記画像データを生成する画像データ生成手段と、を備えてなるものとすることができる。
【０００８】
この携帯装置は、上述のように、従来のゲーム装置が備えるが如き入力手段とは別の測定手段を備えている。但し、本発明は、このゲーム装置が従来のゲーム装置が備えるが如き入力手段を備えていても良い。
例えば、本発明の携帯装置では、ユーザの肌の特性についての特性データを手入力により受け付けて特性データを生成する第１入力手段が、その筐体に取付けられていても良い。この場合の制御手段は、測定データ及び特性データに基づいてユーザの肌の状態を予測するようになっているものとすることができる。
【０００９】
測定手段と、第１入力手段を持つ携帯装置の制御手段は、上述のように、測定データ及び特性データに基づいてユーザの肌の状態を予測し、その予測に基づく画像を表示させるための画像データを生成するものであれば、どのようなものでも良い。
この場合の制御手段は、例えば、上述の要因が人の肌の状態与える影響についてのデータであり、その要因の物理量、及び肌の特性と関連付けられている予測データを記録している記録手段と、前記測定データ、及び前記特性データを受け付けると共に、前記測定データが示す前記要因についての物理量、及び前記特性データが示す肌の特性と関連付けられている予測データを抽出する抽出手段と、該抽出手段が抽出した予測データに基づいて、前記画像データを生成する画像データ生成手段、を備えてなるものとすることができる。
【００１０】
測定手段が測定する物理量は、どのようなものでも良い。例えば、気温や、湿度などを計測するようにもできる。測定手段は、また、紫外線量を測定するようなものとすることもできる。この場合の制御手段は、ユーザの肌の日焼けの度合をユーザの肌の状態として予測するようなものとすることができる。
紫外線量に基づく日焼けの程度は、ユーザがその時点で浴びている紫外線量や、それまでに浴びた紫外線の累積量により定量的に予想することができる。これは、人間の体に関するものではないから測定し易い。紫外線の量は、その時の天候や、その時にユーザがいる場所により異なるが、ユーザがそれを常に持ち歩くことが前提である携帯装置であれば、例えそれが時々刻々と変化するものであっても、比較的測定し易く、継続的な測定にもそれほど困難はない。従って、紫外線量を測定するような携帯装置であれば、比較的容易に、実用的な情報をユーザに提供できるようになる。効果的な日焼けを行う、或いは日焼けを防止することは、ユーザにとっての重大な関心事になりうる。従って、この測定装置は、ユーザの望む情報を、比較的簡単な構成で、比較的正確に提供しうるものとなる。
この場合の制御手段は、例えば以下のように構成することができる。即ち、紫外線により人の肌に生じる日焼けの度合いについてのデータであり、紫外線量と関連付けられている予測データを記録している記録手段と、前記測定データを受け付けると共に、当該測定データが示す紫外線量と関連付けられている予測データを抽出する抽出手段と、該抽出手段が抽出した予測データに基づいて、前記画像データを生成する画像データ生成手段と、を備えてなるものとすることができる。
この場合の第１入力手段は、ユーザの肌の日焼けに対する特性を、前記特性データとして受け付けるようになっていると共に、制御手段は、ユーザの肌の日焼けの度合をユーザの肌の状態として予測するようになっていても良い。
この場合の測定手段は、前記物理量としての紫外線量を測定する紫外線センサであり、且つ前記第１入力手段は、ユーザの肌の日焼けに対する特性を、前記特性データとして受け付けるようになっていると共に、前記制御手段は、ユーザの肌の日焼けの度合をユーザの肌の状態として予測するようなものにもできる。
この場合の制御手段は、例えば、紫外線により人の肌に生じる日焼けの度合いについてのデータであり、紫外線量及び人の肌の特性と関連付けられている予測データを記録している記録手段と、前記測定データ、及び前記特性データを受け付けると共に、当該測定データが示す紫外線量、及び前記特性データが示す肌の特性と関連付けられている予測データを抽出する抽出手段と、該抽出手段が抽出した予測データに基づいて、前記画像データを生成する画像データ生成手段と、を備えてなるものとすることができる。
【００１１】
尚、測定手段は、筐体と一体化されていても良いし、別体とされていても良い。後者の場合の携帯装置は、ユーザの肌の状態に影響を与える要因についての物理量を測定して測定データを生成する所定の測定手段から前記測定データを受け付け、受け付けた当該測定データに基づいてユーザの肌の状態を予測すると共に、その予測に基づく画像を表示させるための画像データを生成する制御手段と、前記画像データに基づいて画像を表示する表示手段と、前記制御手段、及び前記表示手段が取付けられている、手持ち可能な筐体と、を備えてなる、携帯装置となる。
【００１２】
測定手段が紫外線を測定する上述の場合、その測定手段には紫外線量を測定し紫外線量についての測定データを生成する紫外線センサを用いることができる。この場合の携帯装置は、以下のようなものとなる。
即ち、紫外線量を測定し紫外線量についての測定データを生成する紫外線センサと、ユーザの肌の日焼けに対する特性についての特性データを手入力により受け付ける第１入力手段と、前記測定データ、及び前記特性データに基づいてユーザの肌の日焼けの状態を予測すると共に、ユーザの肌の日焼けの状態の予想についての画像を表示させるための画像データを、前記予測に基づいて生成する制御手段と、前記画像データに基づいてユーザの肌の日焼けの状態の予想についての画像を表示する表示手段と、前記紫外線センサ、前記制御手段、及び前記表示手段が取付けられている、手持ち可能な筐体と、を備えてなる、携帯装置である。
【００１３】
上述の制御手段は、紫外線により人の肌に生じる日焼けの度合いについてのデータであり、紫外線量、及び人の肌の特性と関連付けられている予測データを記録している記録手段と、前記測定データ、及び前記特性データを受け付けると共に、当該測定データが示す紫外線量、及び前記特性データが示す肌の特性と関連付けられている予測データを抽出する抽出手段と、該抽出手段が抽出した予測データに基づいて、前記画像データを生成する画像データ生成手段と、を備えてなるものとすることもできる。
【００１４】
制御手段は、また、測定の開始後から順次受け付けた測定データに基づいて、測定開始後の紫外線量の累積値である累積紫外線量についての累積データを算出するようになものとされていても良い。そして、この累積データ、及び前記特性データに基づいてユーザの肌の日焼けの状態を予測するようになっていても良い。累積紫外線量という概念を利用することで、ユーザの肌の状態を、過去についての継続的な測定データを用いて予想できるようになる。これにより、ユーザは、より確実性が高く、且つ実効的な情報を継続的に得られるようになる。紫外線量の累積は、継続的な紫外線量の測定により算出しても良いし、定期的な紫外線量の測定により算出しても良い。
【００１５】
本発明の携帯装置は、ユーザが日焼け促進と、日焼け防止のいずれを望むかということに関するユーザの日焼け希望についての希望データを受け付けるための第２入力手段を備えていると共に、前記制御手段は、前記測定データ、及び前記特性データに基づいて、ユーザの肌の日焼けの状態を予測すると共に、この予測及び前記希望データに基づいて、ユーザの日焼け希望を反映するものであり、且つユーザの肌の日焼けの状態の予想についてのものである画像を前記表示装置に表示させるための画像データを生成するようになっているものとしても良い。
このようにすることで、ユーザの望む日焼けの状態を作るべく、ユーザに適切な情報を与えられるようになる。
本発明の携帯装置は、また、ユーザが日焼け促進と、日焼け防止のいずれを望むかということに関するユーザの日焼け希望についての希望データを受け付けるための第２入力手段を備えていると共に、前記制御手段は、前記累積データ、及び前記特性データに基づいて、ユーザの肌の日焼けの状態を予測すると共に、この予測及び前記希望データに基づいて、ユーザの日焼け希望を反映するものであり、且つユーザの肌の日焼けの状態の予想についてのものである画像を前記表示装置に表示させるための画像データを生成するようになっていても良い。
【００１６】
本発明の携帯装置は、また、使用する日焼け防止のための手段についての日焼け防止データを受け付ける第３入力手段を備えていると共に、前記制御手段は、前記測定データ、前記特性データ、及び前記日焼け防止データに基づいて、ユーザの肌の日焼けの状態を予測すると共に、この予測及び前記希望データに基づいて、前記画像データを生成するようになっていても良い。
或いは、ユーザが使用する日焼け防止のための手段についての日焼け防止データを受け付ける第３入力手段を備えていると共に、前記制御手段は、前記累積データ、前記特性データ、及び前記日焼け防止データに基づいて、ユーザの肌の日焼けの状態を予測すると共に、この予測及び前記希望データに基づいて、前記画像データを生成するようになっていても良い。
【００１７】
本発明は、紫外線量を測定して紫外線量についての測定データを生成する所定の紫外線センサから前記測定データを受け付ける制御手段と、制御手段の制御下で所定の画像を表示する表示手段と、前記制御手段、及び前記表示手段が取付けられている、手持ち可能な筐体と、を備えてなる携帯装置の前記制御手段にて実行される方法であって、前記制御手段が、前記測定データを受け付ける過程、受け付けた前記測定データに基づいてユーザの肌の状態を予測する過程、前記予測に基づく画像を前記表示手段に表示させるための画像データを生成する過程、とを含む方法としても具現化される。
本発明における第１、第２及び第３入力手段は、それぞれ別体とされても良いし、これらのうちの２つ或いはすべてをまとめて一体化されていても良い。
【００１８】
第２の発明は、以下のようなものである。
第２の発明による携帯装置は、紫外線量を測定し紫外線量についての測定データを生成する紫外線センサと、ユーザの肌の日焼けに対する特性についての特性データを手入力により受け付ける第１入力手段と、前記特性データを受け付けると共に、その特性データに基づいて、ユーザにとって有害であると判断される紫外線量である基準紫外線量を設定する基準設定手段と、測定データを受け付けると共に、その測定データが示す紫外線量が前記基準紫外線量を超えたか否かを判断し、前記測定データが示す紫外線量が前記基準紫外線量を超えた場合に、そのことを示す画像を表示するための画像データを生成する警告手段と、前記画像データに基づいて、現在の紫外線量がユーザに取って有害であるとの警告を示す画像を表示する表示手段と、前記紫外線センサ、前記基準設定手段、前記警告手段、及び前記表示手段が取付けられている、手持ち可能な筐体と、を備えてなる。この携帯装置は、ユーザが入力した特性情報により設定された基準紫外線量を閾値として用いて、これを超えた紫外線量がユーザの周りにある場合には、その旨をユーザに知らせるものである。これにより、ユーザは、今の時刻のその場所における紫外線量の多少を、比較的簡単に知れるようになる。
また、紫外線量を測定し紫外線量についての測定データを生成する紫外線センサと、ユーザの肌の日焼けに対する特性についての特性データを手入力により受け付ける第１入力手段と、前記測定データ及び前記特性データを受け付けると共に、これらに基づいて所定の画像データを生成する制御手段と、前記画像データに基づいて所定の画像表示する表示手段と、前記紫外線センサ、前記基準設定手段、前記警告手段、及び前記表示手段が取付けられている、手持ち可能な筐体と、を備えている携帯装置の前記制御手段にて実行される方法であって、前記制御手段が、記特性データを受け付けると共に、その特性データに基づいて、ユーザにとって有害であると判断される紫外線量である基準紫外線量を設定する過程、前記測定データを受け付けると共に、その測定データが示す紫外線量が前記基準紫外線量を超えたか否かを判断する過程、前記測定データが示す紫外線量が前記基準紫外線量を超えた場合に、そのことをユーザに警告する画像を表示するための画像データを生成する過程、を含む、方法でも、同様の作用効果を得られる。
上述の携帯装置における基準設定手段は、特定データ基づかずに、例えば、予め定めておくことで、基準紫外線量を設定するようなものでも良い。
【００１９】
この携帯装置も、第１発明の場合と同様の第３入力手段を持っていても良い。この場合の携帯装置は、上述の携帯装置であって、ユーザが使用する日焼け防止のための手段についての日焼け防止データを受け付ける第３入力手段を備えていると共に、前記基準設定手段は、前記特性データ、及び前記日焼け防止データに基づいて、前記基準紫外線量を設定するようになっているものとすることができる。
【００２０】
尚、紫外線センサは、筐体と一体化されていても良いし、別体とされていても良い。後者の場合の携帯装置は、例えば、ユーザの肌の日焼けに対する特性についての特性データを手入力により受け付ける第１入力手段と、前記特性データを受け付けると共に、その特性データに基づいて、ユーザにとって有害であると判断される紫外線量である基準紫外線量を設定する基準設定手段と、前記紫外線量を測定し紫外線量についての測定データを生成する所定の紫外線センサから前記測定データを受け付けると共に、その測定データが示す紫外線量が前記基準紫外線量を超えたか否かを判断し、前記測定データが示す紫外線量が前記基準紫外線量を超えた場合に、そのことを示す画像を表示するための画像データを生成する警告手段と、前記画像データに基づいて、現在の紫外線量がユーザに取って有害であるとの警告を示す画像を表示する表示手段と、前記紫外線センサ、前記基準設定手段、前記警告手段、及び前記表示手段が取付けられている、手持ち可能な筐体と、を備えてなる、携帯装置となる。
【００２１】
【発明の実施の形態】
以下、図面に従って本発明による携帯装置について説明する。この携帯装置は、例えば、図１に示したようなものである。
【００２２】
この携帯装置は、図１で示したように、筐体１０に、入力キー２０、紫外線受光口３０及びディスプレイ４０を一体的に取り付けた構成となっている。筐体１０には、また、この携帯装置の制御を行うための図示せぬ回路が内蔵されている。
【００２３】
筐体１０は、例えば樹脂製であり、手で把持できる程度に小さく、また手で把持しやすいように略卵型に形成されている。
入力キー２０は、筐体１０の正面下方に設けられており、左入力キー２１、右入力キー２２、中央入力キー２３からなる。入力キー２０は、本発明の第１入力手段、第２入力手段及び第３入力手段の機能を兼ね備えるものとなっている。入力キー２０からは、例えば、ユーザの肌の日焼けに対する特性についての特性データ、ユーザが日焼け促進と、日焼け防止のいずれを望むかということに関するユーザの日焼け希望についての希望データ、及びユーザが使用する日焼け防止のための手段についての日焼け防止データの入力を少なくとも行えるようになっている。左入力キー２１及び右入力キー２２はコマンド選択用のキーとして、中央入力キー２３はコマンド決定用のキーとして機能する。入力に際しての操作方法については後述する。
紫外線受光口３０は、外部からの光を筐体１０内部に導くための開口である。紫外線受光口３０の筐体１０内部側には、本発明における測定手段に相当する紫外線センサ（図示を省略）が配されており、紫外線受光口３０を介して受け入れた光の中の紫外線量を検出できるようになっている。その結果、紫外線センサは、紫外線量についてのデータである、測定データを生成する。紫外線センサは、これには限られないが、ＧａＡｓＰチップと紫外線センサとを組み合わせたフォトダイオードとして構成される。具体的には、浜松ホトニクス株式会社のＧ５８４２を、この実施形態における紫外線センサとして使用可能である。尚、紫外線センサの表面（紫外線受光口３０に臨む受光面）には、防湿機能を有するフィルムを貼っておいても良い。尚、紫外線センサは、筐体１０に対して着脱自在としても良い。通常の携帯ゲーム装置が何らかの入力端子を備えるのであれば、その端子と紫外線センサを接続できるようにすることもできる。
ディスプレイ４０は、本発明における表示手段に相当するものである。ディスプレイ４０は、例えば、ドットマトリックス方式の液晶ディスプレイにより構成されており、ユーザに提示される部分が略矩形となっている。
【００２４】
携帯装置の内部に設けられた回路は、例えば、図２に示した如きである。この例の回路は、ＣＰＵ（Ｃｅｎｔｒａｌ  Ｐｒｏｃｅｓｓｉｎｇ  Ｕｎｉｔ）５１、ＲＯＭ（Ｒｅａｄ  Ｏｎｌｙ  Ｍｅｍｏｒｙ）５２、ＲＡＭ（Ｒａｎｄｏｍ  Ａｃｃｅｓｓ  Ｍｅｍｏｒｙ）５３及びインタフェース５４が含まれている。そしてＲＯＭ５２、ＲＡＭ５３及びインタフェース５４は、バスを介してＣＰＵ５１と接続されている。
ＣＰＵ５１は、所定のプログラムを実行することで、所定の処理を実行するものである。ＲＯＭ５２は、ＣＰＵ５１を動作させるためのプログラム、後述する肌の状態の予測に基づく情報提示を行う際に必要となる予測データ、ディスプレイ４０における画像表示で使用される画像データなどを記憶している。ＲＡＭ５３は、ＣＰＵ５１がデータ処理を行うためのワーク領域を提供する。また、インタフェース５４は、ＣＰＵ５１の入出力用の接続回路として機能する。上記入力キー２０、紫外線センサ、ディスプレイ４０は、インタフェース５４を介してＣＰＵ５１と接続されており、入力キー２０の操作により生成される入力データや、紫外線センサで生成された測定データは、インタフェース５４を介してＣＰＵ５１に入力されるようになっている。また、ＣＰＵ５１が生成したディスプレイ４０表示用の画像情報は、インタフェース５４を介してディスプレイ４０に出力されるようになっている。ディスプレイ５４は、この情報に基づく表示を行うようになっている。
【００２５】
この携帯装置では、電源を入れたり、所定のリセット動作を行わせることなどを契機に上述のプログラムをＣＰＵ５１が実行することで、図３に示したような機能ブロックがその内部に生成される。
この携帯装置は、入力受け付け部１１０と制御部１２０を備えている。
【００２６】
入力受け付け部１１０は、入力キー２０や紫外線センサから入力されるデータを受け付け、それを制御部１２０へと伝える機能を有する。
制御部１２０は、本発明における制御手段に相当するものであり、携帯装置全体を制御するものである。また、肌の状態の予測に基づく情報提示や、紫外線量増大に基づくユーザへの警告を行うための処理を実行すると共に、その処理の結果に基づいて、ディスプレイ装置に所定の画像を表示させるための画像データを生成するようになっている。
【００２７】
制御部１２０は、その内部に、主制御部１２１、日焼け状況予測部１２２、警告部１２３、及び画像データ生成部１２４を備えている。
【００２８】
主制御部１２１は、入力キー２０からの情報に基づいて、日焼け状況予測部１２２、警告部１２３、及び画像データ生成部１２４を制御するようになっている。例えば、日焼け状況予測部１２２、及び警告部１２３に所定の処理を行わせ、或いは中止させるための情報を、入力受け付け部１１０を介して入力キー２０から受け付けた情報に基づいて生成し、これを日焼け状況予測部１２２や、警告部１２３に送るようになっている。主制御部１２１は、また、後述の設定モードの制御も行う。その場合には、ディスプレイ４０に所定の画像（例えば、ユーザの興味を惹くような、キャラクタの動画像）を表示させるための画像データを生成させるべく、画像データ生成部１２４に、その旨の命令についてのデータを送ることもする。
【００２９】
日焼け状況予測部１２２は、画像データ制御部１２４との組合せにより、本発明の制御部としての機能を果たすものであり、主制御部１２１から受け付けた情報や、入力受け付け部１１０を介して入力キー２０や紫外線センサから受け付けた情報に基づいて、ユーザの肌の状態を予測する（この実施形態では、ユーザの肌の日焼けの状態を予測する。）と共に、その予測に基づく予測データを生成するようになっている。この予測データは、画像データ制御部１２４へ送られるようになっている。
【００３０】
警告部１２３は、画像データ制御部１２４との組合せにより、本発明の警告手段としての機能を果たすものであり、主制御部１２１から受け付けた情報や、入力受け付け部１１０を介して入力キー２０や紫外線センサから受け付けた情報に基づいて、ユーザにとって有害であると判断される紫外線量である基準紫外線量を設定し、その時点における紫外線量が、基準紫外線量を超えているか否か判断して、その判断の結果、測定データが示す紫外線量が閾値を超えた場合に、そのことを示す画像をディスプレイに表示するための警告データを生成するようになっている。この警告データは、画像データ制御部１２４へ送られるようになっている。
【００３１】
画像データ生成部１２４は、日焼け状況予測部１２２からの予測データ、警告情報部１２３からの警告データ、或いは主制御部１２１からの所定のデータを受け付け、これらデータに基づく所定の画像をディスプレイ４０に表示させるための画像データを生成するようになっている。この画像データは、ディスプレイ４０へと送られる。その結果、このデータに基づく画像が、ディスプレイ装置に表示される。
【００３２】
日焼け状況予測部１２２は、図４に示したように、基礎データ記録部１２２Ａ、累積データ記録部１２２Ｂ、累積データ管理部１２２Ｃ、抽出部１２２Ｄ、予測データ修正部１２２Ｅを含んで構成される。
【００３３】
基礎データ記録部１２２Ａには、紫外線により人の肌に生じる日焼けの度合いについてのデータである基礎データが記録されている。基礎データは、紫外線が人の肌に与える影響についての、例えば、統計的に求められたデータであり、この実施形態では、紫外線量と関連付けて設定されている。また、これには限られないが、この例の基礎データは、紫外線量のみならず、人の肌の特性とも関連付けられており、且つ紫外線量は、所定の時間間隔（この実施形態では１分毎）で計測された紫外線量を累積した累積紫外線量とされている。
【００３４】
具体的には、この例の基礎データ記録部１２２Ａには、図６に示した第１基礎データ及び第２基礎データが記録されている。これらは、後述のように、ユーザが入力した希望データの別により、使い分けられる。
第１基礎データ及び第２基礎データは共に、Ａ）余裕、Ｂ）やや余裕、Ｃ）そろそろ、Ｄ）ややオーバー、Ｅ）オーバーという、肌の状態の予測についてのものである、５つの予測データ（図６中では、予測と記載）を含んでいる。これら各データは、図６中で１〜５の数値により示されている肌レベル（これについては、後述する。）及び累積紫外線量（図６中では、〜１０ｋＪ／ｍ２、〜４０ｋＪ／ｍ２などとして表示）とそれぞれ対応付けられている。例えば、第１基礎データを用いる場合、肌レベルが３で累積紫外線量が、４３ｋＪ／ｍ２であれば、予測データはＣ）となる。第２基礎データを用いる場合、肌レベルが１で累積紫外線量が、５５ｋＪ／ｍ２であれば、予測データはＥ）となる。
【００３５】
累積データ記録部１２２Ｂは、累積紫外線量を記録するものである。この実施形態では、上述の紫外線センサは、１分毎に紫外線量の計測を行うようになっている。この累積データ記録部１２２Ｂは、計測された紫外線量×１分により求められる紫外線量（単位：ｋＪ／ｍ２）を、受け付けた測定データに基づいて記録する。尚、１分毎に測定を行う紫外線センサの制御は、例えば、主制御部１２１により行うようにすることができる。
【００３６】
累積データ管理部１２２Ｃは、累積データ記録部１２２Ｂに記録される累積紫外線量についてのデータ（累積データ）の管理を行うものである。累積データ記録部１２２Ｂへの累積データの記録は、この累積データ管理部１２２Ｃが行うようになっている。累積データ管理部１２２Ｃは、また、必要に応じて累積データ記録部１２２Ｂから累積データを読みだし、これを抽出部１２２Ｄへと送るようになっている。
【００３７】
抽出部１２２Ｄは、ユーザが入力キー２０を入力することにより生成され、入力情報解析部１１０を経て入力された特性データと、上述の累積データとに基づいて、基礎データから予測データを抽出するものである。予測データの抽出の仕方については後述する。予測データ抽出に当たっては、ユーザが入力キー２０を入力することにより生成され、入力情報解析部１１０を経て入力された希望データも使用されるが、これについては後述することとする。
【００３８】
予測情報修正部１２２Ｅは、抽出部１２２Ｄから受け付けた予測データに対して所定の変更を加えるものである。この変更には、ユーザが入力キー２０を入力することにより生成され、入力情報解析部１１０を経て入力された防止データが使用される。この点についは後述することとする。
【００３９】
警告部１２３は、図５に示したように、基準設定部１２３Ａと、主警告部１２３Ｂとを備えて構成されている。
【００４０】
基準設定部１２３Ａは、本発明の基準設定手段に相当するものであり、ユーザにとって危険であると判断される紫外線量である基準紫外線量を設定するものである。この例の基準紫外線量は、ある時点における紫外線量を意味する。この実施形態の携帯装置では、ユーザの肌の日焼けに対する特性についての特性データに基づいて、その特性データに基づいて、基準設定部１２３Ａが生成する。基準データは、主警告部１２３Ｂへと送られるようになっている。
【００４１】
主警告部１２３Ｂは、ユーザが操作した入力キー２０から、受け付け部１１０を介して測定データを受け付けると共に、その測定データが示す紫外線量が前記基準紫外線量を超えたか否かを判断し、前記測定データが示す紫外線量がその基準データで示された紫外線量を超えた場合に、そのことを示す画像を表示するための、例えば、ユーザに警告を促すような画像についての画像データを生成するようになっている。主警告部１２３Ｂが生成した警告データは画像情報生成部１２４へと送られるようになっている。
【００４２】
次に、この携帯装置の使用方法及び動作について説明することで、本発明に係る方法につき説明する。
【００４３】
この携帯装置は、電源ＯＮの手続きを行うと、そのディスプレイ４０に、自動的に起動画面を表示する。この画像は、主制御部１２１の制御下で、画像情報生成部１２４が生成した画像データに基づいて表示される。
起動画面は、例えば、携帯装置製造会社のロゴや、タイトルロゴを表示するようなものとすることができる。この携帯装置に登場するキャラクタの紹介をするようなものとしても良い。この携帯装置では、クマのキャラクタを用いることとしているので、その起動画面は、会社ロゴを表示し、続けて、タイトルロゴをスクロール表示するとともに、キャラクタ紹介の動画を表示することとしている。
【００４４】
起動画面の表示に続いて、初期設定モードが自動的に実行される。初期設定モードでは、時計合わせ、肌レベル設定、焼き方選択の各処理が自動的に実行される。これらの実行の制御は、例えば、主制御部１２１が行う。
初期設定モードでは、入力キー２０を用いて、時計合わせ、肌レベル設定、焼き方選択の各処理に必要な入力が行われる。
【００４５】
時計合わせモードは、「時」、「分」の順番で設定を行う。
まず、ディスプレイ４０に「時」を表す０〜２４のいずれかの数字が表示される。ユーザは、左入力キー２１と右入力キー２２を適宜操作して、この数字を変化させる。これには限られないが、この実施形態では、左入力キー２１を押すと、その度に数字が１ずつ減り、右入力キー２２を押すと、その度に数字が１ずつ増えるようになっている。０と２４が連続するようにループさせておくこともできる。表示された数字が、現在の「時」と合ったら、中央入力キー２３を押すことで「時」の設定がなされる。
次に、ディスプレイ４０に「分」を表す０〜６０のいずれかの数字が表示される。ユーザは、左入力キー２１と右入力キー２２を適宜操作して、この数字を変化させる。０と６０が連続するようにループさせておくこともできる。これには限られないが、この実施形態では、左入力キー２１を押すと、その度に数字が１ずつ減り、右入力キー２２を押すと、その度に数字が１ずつ増えるようになっている。表示された数字が、現在の「分」と合ったら、中央入力キー２３を押すことで「分」の設定がなされる。
以上により、時刻合せが終了する。
【００４６】
次いで、肌レベルの設定モードが実行される。
肌レベルの設定に際しては、例えば、図７（Ａ）に示した如き画面が表示される。この画面は、画面右上を区切って形成された矩形の肌レベル数値表示部（図７（Ａ）では、１と表示されている。）と、その下段の肌レベル表示部（図７（Ａ）では、ヨワイと表示されている。）と、その下段の説明表示部と（図７（Ａ）では、スグと表示されている。）、最下段のキャラクタ表示部（図７（Ａ）では、クマの顔の上半分が表示されている。）とからなる。
肌レベル数値表示部は、肌の特性を数値化したものを表示する部分である。数値は、この例においては、その値が大きいほど、日焼けに強いことを示すものである。
肌レベル表示部は、肌の特性を表示するものでであり、肌の日焼けに対する特性を表す文字、具体的には、「ヨワイ」、「ヤヤヨワイ」、「フツウ」、「ヤヤツヨイ」、「ツヨイ」という文字のいずれかが表示される。
説明表示部は、肌レベル表示部に表示される文字の具体的内容説明を表示するためのものである。具体的には、「スグニ  アカクナリ  ヒヤケシナイ」「アカクナリヤスク  ヒヤケ  シニクイ」「ハジメハ  アカクナルガ  ダンダン  ヒヤケ  シテクル」「アマリ  アカクナラズ  ヨク  ヒヤケスル」「アカクナラズニカンタンニ  ヒヤケスル」という文字のいずれかが表示される。これらの文字は、自動的に、横スクロールするようになっている。それにより、ユーザは、その全文を確認できるようになっている。
【００４７】
肌レベル数値表示部に表示される数値と、肌レベル表示部に表示される文字と、説明表示部に表示される文字とは、図７（Ｂ）に示したように対応付けられている。
ユーザは、入力キー２０を操作して、自分の肌レベルに対応する肌レベル数値を選択する。ユーザが、左入力キー２１又は右入力キー２２を押すと、肌レベル数値表示部に表示される数値と、肌レベル表示部に表示される文字と、説明表示部に表示される文字が、その対応関係を守りながら適宜変化する。この実施形態による携帯装置では、左入力キー２１を押すと、その度に、肌レベル数値表示部に表示される数字が１ずつ減り、右入力キー２２を押すと、その度に、肌レベル数値表示部に表示される数字が数字が１ずつ増えるようになっている。上述の如きループを形成しておいても良い。自分の肌の特性と合う肌レベルが表示されたところで、ユーザは中央入力キー２３を押す。これにより、ユーザの肌の日焼けについての特性についての特定データが生成される。この特性データは、入力受け付け部１１０を介して制御部１２０へと送られる。
【００４８】
起動画面の表示に続いて、初期設定モードが自動的に実行される。初期設定モードでは、時計合わせ、肌レベル設定、焼き方選択の各処理が自動的に実行される。これらの実行の制御は、例えば、主制御部１２１が行う。
初期設定モードでは、入力キー２０を用いて、時計合わせ、肌レベル設定、焼き方選択の各処理に必要な入力が行われる。
【００４９】
次に焼き方選択モードが実行される。
焼き方選択モードは、ユーザが肌を積極的に焼きたいのか、それとも肌をなるべく焼きたくないのか、ということについてのユーザの希望を問うものである。このモードが開始されると、図８（Ａ）（Ｂ）に示した如き画像の一方が表示される。この画像は、それぞれ、中段の文字により、その画像が表示されているときに中央入力キー２３を押すと、ビューティーモードが選択されることと、ブロンズモードが選択されることとを示している。ビューティーモードは、なるべく日焼けを避けることをユーザが希望することを示すものであり、ブロンズモードはきれいに日焼けすることをユーザが希望することを示すものである。図６に示したように、ビューティーモードでは第１基礎データが、ブロンズモードでは第２基礎データがそれぞれ選択されるようになっており、これによりユーザの希望が反映されるようになっている。
ユーザは、左入力キー２１と右入力キー２２を適宜操作して、図８（Ａ）（Ｂ）の画像を変化させる。これには限られないが、この実施形態では、左入力キー２１又は右入力キー２２を押すと、その度に、図８（Ａ）で示した画像と（Ｂ）で示した画像とが切り替わるようになっている。
好みの画像が表示されたら、ユーザは、中央入力キー２３を押す。これにより、ユーザが日焼け促進と、日焼け防止のいずれを望むかということに関するユーザの日焼け希望についての希望データが生成される。この希望データは、入力受け付け部１１０を介して制御部１２０へと送られる。
【００５０】
以上により、初期設定モードが終了する。
その後、携帯装置は、ユーザの肌の日焼けの状態の予想についての画像を表示するための処理と、その時点での紫外線量がユーザにとって有害な量であることを警告するための処理とが並行して実行される通常モードに入る。
尚、通常モードでは、入力キー２０の操作により、時刻表示モード、紫外線量リアルタイム表示モード、紫外線累積量表示モード、設定モードから適宜のモードを選択できる。これらは、例えば、図９で示したようなループを形成している。この実施形態では、右入力キー２１を押すと時計回りに、左入力キーを押すと半時計回りに選択候補が変化すると共に、それぞれのモードに対応した、図示した如き画像が表示されるようになっている。ユーザは、自分が選びたいモードと対応付けられた画像が表示されているときに、中央入力キー２３を押せばよい。それにより、そのモードが選択される。尚、モード選択の制御は、主制御部１２１が行うようになっている。
【００５１】
時刻表示モード、紫外線量リアルタイム表示モード、紫外線累積量表示モードの内容は、それぞれ以下の通りである。
時刻表示モードは、その時点における時刻の表示を行うものである。図９では０時３０分を示している。
紫外線量リアルタイム表示モードでは、その時点における紫外線量（正確には、１分毎に測定される紫外線量の測定値のうち直近のもの）を表示するものである。単位は、ｍｗ／ｃｍ２である。
紫外線累積量表示モードは、電源を入れてから（リセットがあった場合には、リセットから）それまでに累積された紫外線量を表示するものである。単位は、ｋＪ／ｍ２である。この表示を行う際には、累積データ記録部１２２Ｂから累積データ管理部１２２Ｃが読み出した累積データが利用される。例えば、このデータを受け付けた主制御部１２１がこれを画像データ生成部１２４へと送ることで、図９に示した如き画像を表示するための画像データが生成される。
設定モードは、上述した特性データの再入力や、日焼け防止データの入力を行うためのものである。画面の明るさ設定や、この携帯装置が所定の効果音を出力するスピーカを備えるのであれば、音のＯＮ／ＯＦＦ設定や、音量設定などを行えるようにしても良い。
設定モードでのモード選択も、上述の場合と同様に、入力キー２０を用いて行われる。設定モードで入力可能な日焼け防止データは、ユーザが使用する日焼け防止のための手段についてのデータである。
この実施形態では、ユーザが日焼け防止クリームなどのサンスクリーン剤を使用したときに、そのサンスクリーン剤のＳＰＦ（Ｓｕｎ  Ｐｒｏｔｅｃｔｉｏｎ  Ｆａｃｔｏｒ：日焼け時間（実際に人の肌で計る）／サンスクリーン剤を塗らないときのうっすら赤くなる日焼け時間）値を入力させることで、日焼け防止データの入力を行うようになっている。ユーザに日焼け防止データを行わせる画面では、０〜５０の数値をディスプレイ４０に表示する。ユーザは、時刻合せの場合と同様にして、左入力キー２１と右入力キー２２を押すことにより、上述の数字を増減させ、中央入力キー２３を押し込んで決定することで、日焼け防止データの入力がなされる。中央入力キー２３が押されたときに表示されていた数字（ユーザが使用したスクリーン剤のＳＰＦ値）が、日焼け防止データとなる。このデータは、入力受け付け部１１０を介して、予測情報修正部１２２Ｅに入力される。
【００５２】
携帯装置が、通常モードにあるとき、紫外線センサは、上述のように紫外線量の測定を行う。これにより生成された測定データは、入力受け付け部１１０を介して制御部１２０へと送られる。そして、この測定データを用いて、ユーザの肌の日焼けの状態の予想についての画像を表示するための処理と、その時点での紫外線量がユーザにとって有害な量であることを警告する画像を表示するための処理とが並行して実行される。以下、これら両処理について、順に説明する。
【００５３】
ユーザの肌の日焼けの状態の予想についての画像を表示するための処理について説明する。この処理は、主として、日焼け状況予測部１２２で行われる。
制御部１２０へ送られた、測定データは、日焼け状況予測部１２２内の累積データ管理部１２２Ｃへと送られる。累積データ管理部１２２Ｃは、測定の開始後から順次受け付けた測定データに基づいて、測定開始後の紫外線量の累積値である累積紫外線量についての累積データを算出し、これを累積データ記録部１２２Ｂへと書き込む。尚、累積データは、毎日午前０時にリセットされて０になる。一方、抽出部１２２Ｄは、累積データ管理部１２２Ｃを通じて、累積データ記録部１２２Ｂから累積データを読み出すと共に、基礎データ記録部１２２から基礎データを読み出し、累積データと、基礎データと、及び先に受け付けている特性データとに基づいて、予測データを生成する。
抽出部１２２Ｄが読み出す基礎データは、抽出部１２２Ｄが、受け付けた入力受け付け部１１０を介して受け付けた希望データに基づいて決定される。即ち、希望データが、ユーザの選択したモードがビューティーモードであることを示す場合には第１基礎データが、ユーザの選択したモードがブロンズモードであることを示す場合には第２基礎データが、それぞれ選択されることとなる。
予測データは、特性データによる肌レベルと、上述の累積紫外線量とに基づいて決定される。決定の仕方については、図６の説明で既に述べた。この測定データは、累積データ記録部１２２Ｂへと送られる。予測情報修正部１２２Ｅへと送られる。
予測情報修正部１２２Ｅは、受け付けた予測情報に対して、必要に応じて修正を加えるものである。この修正は、予測情報修正部１２２Ｅが受け付けた防止データに基づいて行われる。
日焼け防止データは、上述のように、ユーザが使用するサンスクリーン剤のＳＰＦ値である。そして、この日焼け防止データは、時間の経過と共に減少していくようになっている。この実施形態では、これが残っている場合には、予測データに変更を与えるようにしている。例えば、予測データを一段階下げる（Ｅ）をＤ）にする、或いはＢ）をＡ）にするなど）ことができる。
日焼け防止データが、サンスクリーン剤を当初から使用していない場合や、減少して０になった場合などには、予測データはそのまま、予測情報修正部１２２Ｂは、予測情報はそのまま画像生成部１２４へと送られる。尚、日焼け防止データにより示されるＳＰＦ値は、毎日午前０時にリセットされて０になる。
もっとも、予測情報修正部１２２Ｅでの修正を一切行わないようにすることも可能である。
【００５４】
予測データを受け付けると、画像データ生成部１２４は、それに基づいて、ディスプレイに所定の画像を表示させるためのデータを生成する。このデータの生成は、この実施形態においては、図１０ないし図１１で示した表に基づいて行われる。
つまり、予測データ（Ａ）余裕、Ｂ）やや余裕、Ｃ）そろそろ、Ｄ）ややオーバー、Ｅ）オーバー）のいずれかと、性格レベルとから、表示すべき画像を決定するのである。この画像は、クマの動画像と、クマの台詞とを含んでいる。
動画像は、クマがうたた寝をするうたた寝画像、クマがあきらめてあくびをするあきらめ画像などである。台詞については、図１０及び１１に示されたとおりである。尚、図１０は、ユーザが、希望データによりビューティーモードを選択したときに使用されるテーブルであり、図１１は、ユーザが、希望データによりブロンズモードを選択したときに使用されるテーブルである。この使い分けにより、ユーザの希望に基づく画像が、ディスプレイ４０に表示されることになる。
性格レベルは、前日の測定データに基づいて決定されるものである。性格レベルは、初期値を４とする数値であり、前日の累積紫外線量が「Ｄ」ややオーバー」である場合には、当該前日の性格レベルに「−１」し、前日の累積紫外線量が「Ｅ」オーバー」である場合には、当該前日の性格レベルに「−２」し、それ以外の場合には、「＋１」して求められる。
但し、その一日全体での累積紫外線量０．１が、０．１ｋＪ／ｍ２に満たない場合であって、ボタンの入力がその日中に一度もなかった場合には、前日の性格レベルと同じ（±０）とする。
その日の性格レベルと、その時点における累積データとに基づいて、図に示した画像を表示するための画像データを生成する。
例えば、ビューティーモードが選択されている場合であって、その日の性格レベルが５で、且つその時点における累積データ（累積量）がＡ）の場合には、ハッピー又はノーマルを示す動画像と、「ＵＶケアハ  ビジンノ  キホンナノダ」、「フンフンフン！コノチョーシデガンバレ」、「ウーンイイキモチ…」のなかのいずれかの台詞を含む画像を表示するための画像データが生成される。この実施形態では、動画像や台詞の候補の選択肢が複数ある場合には、その候補のいずれかがランダムで選択されるようになっている。
【００５５】
尚、ここで、Ｅ）のオーバーによる表示は、ユーザに対する警告の意味も持っている。この表示が複数回、例えば４回続いたとしてもユーザが適切な対処を取らなかった場合（測定データを減少させるべく日陰に入ったり、或いは日焼け防止データの入力をしなかった場合）には、リセットがかかるようになっている。
リセットがかかると、クマがバイバイといいながら手を振る画像を表示し、ここまで行ってきた一連の測定を終了する。
この場合、いずれかの入力キー２０を押せば、再度測定が始まる。その場合には、ディスプレイ４０に、「オハダッテ  オモッテルヨリモ  デリケートナ  モノダヨ…」、「ツヨイ  ヒヤケハ  ヤケドト  オナジダヨ」、「ハダノ  チョウシハ  ダイジョウブ…？」のいずれかのコメントが表示される。
【００５６】
その時点での紫外線量がユーザにとって有害な量であることを警告するための処理について説明する。この処理は、主として、日焼け状況予測部１２２で行われる。
まず、基準設定部１２３Ａが、受け付けた特性データに基づいて、ユーザにとって危険であると判断される紫外線量である基準紫外線量を設定する。具体的には、図１２に示した如き、基準のテーブルに基づいて、これを設定すれば良い。この場合には、５０〜ｍＷ／ｃｍ２という最も紫外線量の多い範囲が、ユーザにとって有害であるとしており、５０ｍＷ／ｃｍ２を基準紫外線量として設定している。
この実施形態では、特性データに適宜の変更を加えることで、この基準紫外線量を変更することとしている。例えば、ユーザの肌の日焼けに対する特性が３の普通である場合には、この数値をそのまま使用するものとし、これよりも日焼けに強ければ、肌レベルが１変わるごとにこの基準を５ｍＷ／ｃｍ２引き上げ、これよりも日焼けに弱ければ、肌レベル１ごとにこの基準を５ｍＷ／ｃｍ２引き下げるようにすれば良い。
また、上述のサンスクリーン剤のＳＰＦ値についての日焼け防止データが０でない場合には、この基準を５ｍＷ／ｃｍ２引き上げるといったことも可能である。
この基準紫外線量についてのデータは、主警告部１２３Ｂへと送られる。
主警告部１２３Ｂは、主制御部１２１から受け付けた測定データと、この基準紫外線量についてのデータを常に対比している。そして、その時点における測定データにより示される紫外線量が、基準紫外線量を超えた場合には、その旨の画像を表示させるべく、画像データ生成部１２４へ指示を送る。これを受けた画像データ生成部１２４は、「ＵＶケイホウ！！」という警告メッセージをディスプレイに表示するための画像データを生成する。
尚、この実施形態では、ディスプレイ４０に、その数が変化する太陽マークを常に表示することで、ユーザに視覚的に紫外線量を把握させるようにしている。また、「ＵＶケイホウ！！」の表示が行われるよりも少々低い程度まで紫外線量が大きくなっている場合には「ＵＶチュウイホウ」というユーザに注意を促す表示を行うようにしている。この画像データも画像データ生成部１２８が生成する。そのための指示は、例えば、主警告部１２３Ｂが行うようにする。
いずれにせよ、ディスプレイ４０は、受け付けた画像データに基づく画像を表示する。
【００５７】
尚、上述の主制御部に、所定のゲームを実行するための機能を持たせることにより、この携帯装置を携帯ゲーム装置とすることもできる。
【００５８】
【発明の効果】
本発明による携帯装置は以上のようなものなので、測定器具と、ゲーム装置との中間的な性格を持つ、従来にはない斬新なものとなる。
【図面の簡単な説明】
【図１】本発明の一実施形態による携帯装置の概観を示す斜視図。
【図２】図１で示した携帯装置の内部構成図。
【図３】図１で示した携帯装置内に生成される機能ブロックを示す図。
【図４】図３中の制御部の構成を示すブロック図。
【図５】図３中の警告部の構成を示すブロック図。
【図６】基礎データの例を概念的に示す図。
【図７】（Ａ）は、図１に示された携帯装置のディスプレイに表示される画像の例を示す図、（Ｂ）は、（Ａ）の画像中に表示される画像の例を示す図。
【図８】図１に示された携帯装置のディスプレイに表示される画像の例を示す図。
【図９】通常モードで選択可能なモードの例を示す図。
【図１０】ディスプレイ装置に表示される画像を決定するためのテーブルの内容を概念的に示した図。
【図１１】ディスプレイ装置に表示される画像を決定するためのテーブルの内容を概念的に示した図。
【図１２】基準紫外線量の決定の仕方を説明するための図。
【符号の説明】
１０  筐体
２０  入力キー
４０  ディスプレイ
１１０  入力受け付け部
１２０  制御部
１２１  主制御部
１２２  日焼け状況予測部
１２２Ａ  基礎データ記録部
１２２Ｂ  累積データ記録部
１２２Ｃ  累積データ管理部
１２２Ｄ  抽出部
１２２Ｅ  予測情報修正部
１２３  警告部
１２３Ａ  基準設定部
１２３Ｂ  主警告部
【図１】
0003556601.tif 000002
【図２】
0003556601.tif 000003
【図３】
0003556601.tif 000004
【図４】
0003556601.tif 000005
【図５】
0003556601.tif 000006
【図６】
0003556601.tif 000007
【図７】
0003556601.tif 000008
【図８】
0003556601.tif 000009
【図９】
0003556601.tif 000010
【図１０】
0003556601.tif 000011
【図１１】
0003556601.tif 000012
【図１２】
0003556601.tif 000013